(57)【要約】  第１及び第２データは、該第１データに対応する信号コンスタレーション点の第１セットを、前記第２データにより変調し、これにより、コンスタレーション点の第２セットを生成することによって、同時に送信される。コンスタレーション点の前記第２セットは、前記第１データの２つの値に対応する２つのサブセットを有する。コンスタレーション点は、前記第１及び第２サブセット間の最小距離が、コンスタレーション点の第１セットのコンスタレーション点の間の最小距離以上となるように、選択される。
2007518338.tif 000002
【特許請求の範囲】
【請求項１】
第１データの第１及び第２の値に対応するコンスタレーション点の間に第１最小距離を有するコンスタレーション点の第１セットによって搬送波信号を変調することにより、第１通信装置から第２通信装置へ第１データを送信する通信システムにおける通信装置間で信号伝送をする方法であって、
コンスタレーション面に配置されたコンスタレーション点の第２セットにしたがって、前記搬送波信号を変調することにより第１及び第２データを同時に送信するステップであって、コンスタレーション点の前記第２セットが、
前記コンスタレーション面の第１部分に位置するコンスタレーション点の前記第２セットの第１サブセットが前記第１データの第１の値に対応し、
前記コンスタレーション面の第２部分に位置するコンスタレーション点の前記第２セットの第２サブセットが前記第１データの第２の値に対応する、ように配置され、
前記第１及び第２サブセットのそれぞれが、前記第２データの少なくとも第１及び第２の値に対応するコンスタレーション点を有し、
前記第１サブセットの前記コンスタレーション点と前記第２サブセットの前記コンスタレーション点との間の最小距離が、前記第１最小距離以上である、
ステップを有する方法。
【請求項２】
コンスタレーション点の前記第２セットのコンスタレーション点と、コンスタレーション点の第１セットにおける前記第１データの第１及び第２の値それぞれに対応した最も近い２点を結んだ直線の垂直二等分線と、の間の最小距離が、前記第１最小距離の半分以上である、請求項１に記載の方法。
【請求項３】
前記第１及び第２サブセットのそれぞれが、２つのコンスタレーション点を有する、請求項１又は２に記載の方法。
【請求項４】
コンスタレーション点の前記第２セットがコンスタレーション点の前記第１セットを含む、請求項１、２又は３に記載の方法。
【請求項５】
コンスタレーション点の前記第１セットが点（−ｘ１，−ｙ１）及び（ｘ２，ｙ２）を有し、コンスタレーション点の前記第２セットの前記第１サブセットが点（−ｘ１，−ｙ１）及び（−ｘ３，−ｙ３）を有し、コンスタレーション点の前記第２セットの前記第２サブセットが（ｘ２，ｙ２）及び（ｘ４，ｙ４）を有し、ただしｘ３>ｘ１，ｘ４>ｘ２，ｙ３>ｙ１かつｙ４>ｙ２であり、ｘ１，ｘ２，ｘ３，ｘ４，ｙ１，ｙ２，ｙ３，ｙ４が正の数である、請求項４に記載の方法。
【請求項６】
実質的に、ｘ１＝ｘ２＝ｙ１＝ｙ２かつｘ３＝ｘ４＝ｙ３＝ｙ４＝２ｘ１である、請求項５に記載の方法。
【請求項７】
コンスタレーション点の前記第１セットが点（−ｘ１，−ｙ１）及び（ｘ２，ｙ２）を有し、コンスタレーション点の前記第２セットの前記第１サブセットが点（−ｘ５，０）及び（０，−ｙ５）を有し、コンスタレーション点の前記第２セットの前記第２サブセットが点（０，ｙ６）及び（ｘ６，０）を有し、ｘ５≧２ｘ１，ｘ６≧２ｘ２，ｙ５≧２ｙ１かつｙ６≧２ｙ２であり、ｘ１，ｘ２，ｘ５，ｘ６，ｙ１，ｙ２，ｙ５，ｙ６が正の数である、請求項１、２又は３に記載の方法。
【請求項８】
実質的に、ｘ１＝ｘ２＝ｙ１＝ｙ２かつｘ５＝ｘ６＝ｙ５＝ｙ６＝ｘ１である、請求項７に記載の方法。
【請求項９】
前記第１及び第２サブセットそれぞれが４つのコンスタレーション点を有する、請求項１又は２に記載の方法。
【請求項１０】
４つのコンスタレーション点のそれぞれのサブセットにおいて、コンスタレーション点の第１対が前記第２データの前記第１及び第２の値それぞれに対応し、コンスタレーション点の第２対が前記第２データの前記第１及び第２の値それぞれに対応し、更に既定の基準に従って第１及び第２対の伝送の間を切り替えるステップを有する、請求項９に記載の方法。
【請求項１１】
第３データを前記第１及び第２データと同時に送信するステップであって、４つのコンスタレーション点のそれぞれのサブセットにおいてコンスタレーション点の第１及び第２対が前記第３データの第１及び第２の値にそれぞれ対応するステップを更に有する、請求項９に記載の方法。
【請求項１２】
４つのコンスタレーション点の前記第１サブセットにおいて、コンスタレーション点の前記第１対は（−ｘ１，−ｙ１）及び（−ｘ３，−ｙ３）であり、コンスタレーション点の前記第２対は（−ｘ５，０）及び（０，−ｙ５）であり、４つのコンスタレーション点の前記第２サブセットにおいて、コンスタレーション点の前記第１対は（ｘ２，ｙ２）及び（ｘ４，ｙ４）であり、コンスタレーション点の前記第２対は（０，ｙ６）及び（ｘ６，０）であり、ただしｘ３>ｘ１，ｘ４>ｘ２，ｘ５≧２ｘ１，ｘ６≧２ｘ２，ｙ３>ｙ１，ｙ４>ｙ２，ｙ５≧２ｙ１かつｙ６≧２ｙ２であり、ｘ１，ｘ２，ｘ３，ｘ４，ｘ５，ｘ６，ｙ１，ｙ２，ｙ３，ｙ４，ｙ５及びｙ６は正の数である、請求項１０又は１１に記載の方法。
【請求項１３】
実質的に、ｘ１＝ｘ２＝ｙ１＝ｙ２かつｘ３＝ｘ４＝ｘ５＝ｘ６＝ｙ３＝ｙ４＝ｙ５＝ｙ６＝２ｘ１である、請求項１２に記載の方法。
【請求項１４】
第１及び第２受信装置で変調された前記搬送波信号を受信するステップと、前記第１受信装置で前記第１データのみを復調するステップと、前記第２受信装置で少なくとも前記第２データを復調するステップとを有する、請求項１乃至１３の何れか一項に記載の方法。
【請求項１５】
通信システムにおいて第１及び第２データを同時に送信する通信装置であり、該通信システムはコンスタレーション点の第１セットにより搬送波信号を変調することによって前記第１データを通信し、前記コンスタレーション点は前記第１データの第１及び第２の値に対応するコンスタレーション点の間に第１最小距離を有する通信装置であって、
コンスタレーション面に配置されたコンスタレーション点の第２セットにしたがって、前記搬送波信号を変調する変調手段であって、
前記コンスタレーション面の第１部分に位置するコンスタレーション点の前記第２セットの第１サブセットが前記第１データの第１の値に対応し、
前記コンスタレーション面の第２部分に位置するコンスタレーション点の前記第２セットの第２サブセットが前記第１データの第２の値に対応する、ように配置され、
前記第１及び第２サブセットのそれぞれが前記第２データの少なくとも第１及び第２の値に対応するコンスタレーション点を有し、
前記第１サブセットの前記コンスタレーション点と前記第２サブセットの前記コンスタレーション点との間の前記最小距離が前記第１最小距離以上である変調手段と、
前記変調された搬送波信号を送信する送信手段とを有する、通信装置。
【請求項１６】
前記変調手段が、請求項２乃至１３の何れか一項にしたがって前記搬送波信号を変調する、請求項１５に記載の通信装置。
【請求項１７】
請求項１５又は１６に記載の第１通信装置と、
前記変調された搬送波信号を受信する第１受信手段、
及び前記第１データのみを取り出す第１復調手段、
をもつ第２通信装置と、
前記変調された搬送波信号を受信する第２受信手段、
及び少なくとも前記第２データを取り出す第１復調手段、
をもつ第３通信装置と、
を有する通信システム。
【発明の詳細な説明】
【技術分野】
【０００１】
本発明は、通信システムにおける通信装置間で信号を伝送する方法、通信装置及び通信システムに関する。本発明は特に、現行の通信装置に現行のサービスを提供すると同時に新たな通信装置に新たなサービスを提供するように、通信システムをアップグレードする用途を有する。
【背景技術】
【０００２】
本発明は、ＵＭＴＳ（ユニバーサル・モバイル・テレコミュニケーション・システム）の応用に制限されないが、このＵＭＴＳに関連して説明されるだろう。本発明は、例えば異なる協調されていないサービスに対して同時ページングが必要とされる通信システム、特にＵＭＴＳ及びＣＤＭＡ２０００のようなセルラーシステムにおいて利用されうる。
【０００３】
新たなマルチメディア・ブロードキャスト／マルチキャスト・サービス（ＭＢＭＳ）がＵＭＴＳに導入される場合、ＭＢＭＳセッションの開始と現行の規格化された専用ページングメッセージとを指示するページングメッセージを送信することが必要とされるだろう。このようなＭＢＭＳを提供するネットワークは、以下ＭＢＭＳ可能化ネットワークと呼ぶ。
【０００４】
現行のＵＭＴＳネットワーク、リリース９９（Ｒｅｌ−９９）では、ページング標識は、１つのチャネル化コードを用いて、ページング標識チャネル（ＰＩＣＨ）上に伝送される。Ｒｅｌ−９９ ＰＩＣＨは、ページングを指示するためにある種のＢＰＳＫ（二進位相変調）を用いた１つの拡散係数（Spreading  Factor）２５６コードを利用し、ＱＰＳＫ（四進位相変調）変調マッパー（mapper）の後に、もしＵＥ（ユーザ装置）が起動すべきならばビットは−１にセットされ、そうでなければビットは＋１にセットされる。これは、それぞれ座標（−ｘ１，−ｙ１）及び（ｘ２，ｙ２）にコンスタレーション点Ａ及びＢを有する図１に示されたコンスタレーション図(constellation  diagram)という結果になる。この例では、ｘ１＝ｘ２＝ｙ１＝ｙ２＝１である。
【０００５】
ＭＢＭＳでは追加のページング標識が必要とされる。これらの追加のページング標識を提供するいかなる解決策も、ＵＭＴＳ Ｒｅｌ−９９ ＵＥ受信機に完全に準拠していなければならない。Ｒｅｌ−９９ ＵＥは、ＭＢＭＳ可能化ネットワークから受信されたいかなるＭＢＭＳページング標識によっても影響されてはならない。この要件は、少なくともページング標識が送信されるラジオチャネルのインパルス応答がＵＥにおいて完全に判明している場合、ＰＩＣＨを受信するＲｅｌ−９９ ＵＥの性能は低下しないことを含む。
【０００６】
一つのありえる解決策は、ＭＢＭＳ固有のＰＩＣＨに対して追加のチャネル化コードを用いることである。しかしながら、これは、ＵＭＴＳにおいて前から存在するダウンリンクコードの不足を悪化させうるので、ＭＢＭＳ固有のページングに対する追加のチャネル化コードの利用を避けることが望ましいだろう。
【発明の開示】
【発明が解決しようとする課題】
【０００７】
本発明の目的は、システムの前のバージョンに準拠したやり方で、通信システムに新たなサービスが提供されることを可能にすることである。
【課題を解決するための手段】
【０００８】
本発明の第１の態様によると、通信システムにおける通信装置間で信号を伝送する方法であって、上記通信システムが搬送波信号を変調することにより第１通信装置から第２通信装置へ第１データを伝送し、該変調が第１データの第１及び第２の値に対応するコンスタレーション点の間の第１最小距離を持つコンスタレーション点の第１セットに従う方法であり、
コンスタレーション面に配置されたコンスタレーション点の第２セットにしたがって搬送波信号を変調することにより第１及び第２データを同時に伝送するステップにおいて、コンスタレーション点の第２セットが、
コンスタレーション面の第１の部分に位置するコンスタレーション点の第２セットの第１サブセットが第１データの第１の値に対応し、
コンスタレーション面の第２の部分に位置するコンスタレーション点の第２セットの第２サブセットが第１データの第２の値に対応するように配置され、
第１及び第２サブセットそれぞれが、少なくとも第２データの第１及び第２の値に対応するコンスタレーション点を有し、
第１サブセットのコンスタレーション点と第２サブセットのコンスタレーション点との間の最小距離が第１最小距離以上となるステップを有する方法が提供される。
【０００９】
本発明を用いれば、第１データは、Ｒｅｌ−９９ページング標識となり得、第２データはＭＢＭＳページング標識となり得る。このようにＭＢＭＳページング標識は、追加のコンスタレーション点を用いることによりＲｅｌ−９９ ＰＩＣＨ上にコード化されうる。これは、別のチャネル化コードの必要を回避し、電力効率の良いものになりうる。コンスタレーション点の第１及び第２サブセットは、それぞれＲｅｌ−９９ ＰＩＣＨの二進値を示し、サブセット間の最小距離がＲｅｌ−９９ ＰＩＣＨコンスタレーションの最小距離以上となる、又は好ましくは第１コンスタレーションのサブセットから判定線までの距離がＲｅｌ−９９ ＰＩＣＨの最小距離以上であるように、サブセットのコンスタレーション点を選択することによって、Ｒｅｌ−９９ ＵＥがＲｅｌ−９９ ＰＩＣＨを、性能を低下せずに受信しうる。
【００１０】
コンスタレーション点の第２セットの第１及び第２サブセットは、それぞれ例えば２つ又は４つのコンスタレーション点を有しうる。
【００１１】
第１実施例では、コンスタレーション点の第２セットは、コンスタレーション点の第１セットを含む。例えばコンスタレーション点の第２セットは、コンスタレーション点の第１セットよりも大きな振幅をもつ点を加えることによりコンスタレーション点の第１セットから引き出され得、最小距離が減少されず、それによって第１データを復調するための性能を維持することを保証する。本実施例は、第１データの性能が追加の点の最小距離の増加により改善し、伝送電力が第２データの２つのデータの１つのためには増加されない（たとえばＭＢＭＳページング標識があまり頻繁にはセットされない場合に役立ちうる）という利点を持つが、もし第２データの性能が、第２データを追加する前の第１データの性能と少なくとも同等であることが必要とされるならば、典型的には２倍の、ピークの振幅の増加及び振幅基準を必要とする。
【００１２】
第２実施例では、コンスタレーション点の第２のセットは、コンスタレーション点の第１のセットを除外し、したがってコンスタレーション点の第１セットの代わりに利用される。例えば、コンスタレーション点の第２セットは、コンスタレーション点の第１セットを位相変調し、最小距離が減少されず、それによって第１データを復調する性能を維持することを保証するように、必要に応じて振幅を変調することによって引き出されうる。本実施例は、ピーク振幅の増加を低下することができ、振幅基準は不要であるという利点を持つが、もしＲｅｌ−９９ ＵＥが受信した信号に対して信頼できる位相基準を持たないならば、Ｒｅｌ−９９ ＵＥの性能の小さな低下がありうるという欠点を持つ。
【００１３】
更なる一実施例ではコンスタレーション点の第２セットは、既定の基準に従って２つの形態を切り替える、上記２つの実施例の組み合わせである。
【００１４】
それぞれのサブセットが４つのコンスタレーション点を有するような更なる一実施例では、４つのコンスタレーション点のそれぞれのサブセットがコンスタレーション点の第１及び第２対を有し、この第１及び第２対が、第３データの第１及び第２の値にそれぞれ対応している。例えばコンスタレーション点の第２セットは、第３データを搬送するために利用するコンスタレーション点の第２セットの２つの形態の間の切り替えを用いた、上記の第１及び第２実施例のコンスタレーション点を組み合わせとなり得る。本実施例はより多くのデータを搬送するという利点を持つ。
【００１５】
本発明の第２の態様によると、通信システムにおいて第１及び第２データを同時に伝送する通信装置であり、上記通信システムがコンスタレーション点の第１セットにしたがって搬送波信号を変調することにより第１データを通信し、該コンスタレーション点が、第１データの第１及び第２の値に対応したコンスタレーション点の間の第１最小距離を有するような通信装置であり、
コンスタレーション面に配置されたコンスタレーション点の第２セットにしたがって、搬送波信号を変調するように構成された変調手段であって、コンスタレーション点の第２セットが、
コンスタレーション面の第１部分に位置するコンスタレーション点の第２セットの第１サブセットは、第１データの第１の値に対応し、
コンスタレーション点の第２部分に位置するコンスタレーション面の第２セットの第２サブセットは、第１データの第２の値に対応するように配置され、
第１及び第２サブセットのそれぞれが第２データの少なくとも第１及び第２の値に対応したコンスタレーション点を有し、
第１サブセットのコンスタレーション点と第２サブセットのコンスタレーション点との間の最小距離が第１最小距離以上である変調手段と、
変調された搬送波信号を送信する送信手段とを有する通信装置が提供される。
【００１６】
本発明の第３の態様によると、本発明の第２の態様による第１通信装置と、変調された搬送波信号を受信する第１受信手段及び第１データのみを取り出す第１復調手段を有する第２通信装置と、変調された搬送波信号を受信する第２受信手段及び少なくとも第２データを取り出すように構成された第２復調手段を有する第３通信装置と、を有する通信システムが提供される。
【００１７】
本発明は、ほんの一例として、添付図面を参照して説明されるだろう。
【発明を実施するための最良の形態】
【００１８】
第１実施例では、オン／オフ・キーイングが使われる場合、ＰＩＣＨコンスタレーション図は図２に示すとおりである。図２では位置Ａ及びＢは、通常のＲｅｌ−９９ＰＩＣＨコンスタレーション点であり、それぞれオン及びオフをあらわしている。これらはＭＢＭＳ固有の標識がオフの場合に利用され続ける。ＭＢＭＳ固有の標識がオンの場合、対応するＰＩＣＨビットはより高いエネルギーで伝送されるので、コンスタレーション点Ｃ及びＤが利用されるように、４つのコンスタレーション点の意味は図６に示される。
【００１９】
このような解決策は、Ｒｅｌ−９９ ＰＩＣＨを用いるＲｅｌ−９９ ＵＥと完全に互換性があることに留意されたい。事実、もしＭＢＭＳページング標識もまたＭＢＭＳ可能化ネットワークでこのように利用されたならば、Ｒｅｌ−９９専用ページング標識はより信頼性のあるものになる。なぜならＲｅｌ−９９ページング標識の最小距離がＭＢＭＳページング標識のコンスタレーション点Ｃ及びＤに対して増加するからである。
【００２０】
点Ａ，Ｂ，Ｃ及びＤの座標は通常それぞれ、（ｘ１，ｙ１），（ｘ２，ｙ２），（ｘ３，ｙ３），（ｘ４，ｙ４）である。Ａ及びＢの最小距離は、もし少なくともｘ３>ｘ１，ｘ４>ｘ２，ｙ３>ｙ１及びｙ４>ｙ２ならば維持される。より正確にはＡ及びＢの最小距離が維持される要件は、Ｃが
2007518338.tif 000003
式により与えられる第１の線の上又は該第１の線の点（ｘ２，ｙ２）からは反対側にあり、Ｄが
2007518338.tif 000004
式により与えられる第２の線上又は該第２の線の点（ｘ１，ｙ１）からは反対側にあるとして表される。図２の実施例では、このような制約は必須ではないが、ｘ１＝ｘ２＝ｙ１＝ｙ２かつｘ３＝ｘ４＝ｙ３＝ｙ４である。更に図２ではｘ１＝１かつｘ３＝２であるが、他の値も利用されうる。図１乃至４におけるｘ及びｙの値の単位は任意である。
【００２１】
この第１実施例は、ＭＢＭＳページング標識を決定するために振幅基準を確立するＭＢＭＳ ＵＥを必要とし、すなわち、このような基準は、オン／オフ・キーイングを用いたいかなるスキームに対しても必要とされる。
【００２２】
振幅基準は、
-    これらのビットがＭＢＭＳ関連の情報のみを担持し、それゆえシングルレベルのＢＰＳＫ又はＱＰＳＫを用いることができるので、振幅基準としてＰＩＣＨの１２の現在使われていないビットを利用し、
-    振幅基準としてあるＰＩＣＨビットを指定する、すなわち、このようなビットはＭＢＭＳに対して利用されず、それゆえコンスタレーション位置Ａ又はＢのみ選ぶ、
-    パイロット・チャネル（pilot  channel)に関連した特定のオフセットの信号を伝送する、
ことを備えうる多くの可能な態様がある。
【００２３】
第２の代わりの実施例は、もしオン／オフ・キーイングがＭＢＭＳ固有のＰＩＣＨに利用されないならば、魅力的である。我々は、Ｒｅｌ−９９ ＰＩＣＨの１位相が使われないという事実を利用する。すなわちこれは事実上（ＢＰＳＫの形態の）対蹠点変調でありＱＰＳＫではない。それゆえ我々は、別のチャネル化コード又は第１実施例と同等のピーク電力の増加を必要とせずに、ＭＢＭＳ固有のページングをＲｅｌ−９９ページングとともにコード化するために、追加の位相を利用する。
【００２４】
前記コンスタレーションは、図３の点Ｅ，Ｆ，Ｇ及びＨに示すとおりである。Ｒｅｌ−９９位置の点Ａ及びＢは利用されないことに留意されたい。その代わり点Ｅ又はＧは、専用のＰＩＣＨにオンを指示するために利用され、一方点Ｆ又はＨは、専用のＰＩＣＨにオフを指示するために利用される。これは、専用のページング標識に対するオンとオフとの間を少なくとも同じ距離に維持でき、したがってＭＢＭＳについて何も知らないＲｅｌ−９９ ＵＥ受信機には何の影響も持たないことに留意されたい。本実施例は振幅基準を必要としないという魅力を持つ。
【００２５】
この場合の４つのコンスタレーション点のやり方は、図７に示されている。点Ｅ，Ｆ，Ｇ及びＨの座標は通常それぞれ（−ｘ５，０），（０，ｙ６），（０，−ｙ５），（ｘ６，０）ただしｘ５，ｘ６，ｙ５及びｙ６は正の数である。ＡとＢとの最小距離が同じであるように維持される要件は、ｘ５≧２ｘ１，ｘ６≧２ｘ２，ｙ５≧２ｙ１及びｙ６≧２ｙ２として表されうる。そのような制約は必須ではないが、図３の例では、ｘ１＝ｘ２＝ｙ１＝ｙ２かつｘ５＝ｘ６＝ｙ５＝ｙ６である。更に図３では、ｘ１＝１かつｘ５＝２しかし他の値も利用されうる。
【００２６】
第３実施例は、第１及び第２実施例の解決策を組み合わせて、たとえば２つの異なるＭＢＭＳサービスが同じページング・オケージョン(occasions)を共有することを可能にする。これは、ＭＢＭＳページング・オケージョンがＵＥ専用ページング・オケージョンと同時に起こる確率を増加させるために利用され、したがって、ＵＥがその受信機を立ち上げなければならない時間の量が減少しうる。
【００２７】
前記第３実施例のコンスタレーションは図４に示される。図４では、ＭＢＭＳページングがオフの場合に、元のＲｅｌ−９９コンスタレーション点Ａ及びＢが再び利用される。点Ａ，Ｂ，Ｃ，Ｄ，Ｅ，Ｆ，Ｇ，Ｈは、図８で示された２つのＭＢＭＳサービスの異なる組み合わせのページング標識を示すために利用される。このスキームは振幅基準もまた必要とする。振幅基準を提供する類似の方法は、前記第１実施例に記載されたように利用されうる。
【００２８】
本発明の更なる一態様では、基地局は、利用可能なサービスに依存して異なるコンスタレーション又は信号伝送スキームを選択しうる。例えば、もしＭＢＭＳページング標識の発生する頻度が低いならば、ピークの伝送電力よりも少し多く消費する平均伝送電力を最小化するために、図２に示されたような対蹠点信号伝送を利用することが望ましい。逆に、もしＭＢＭＳページング標識の発生する頻度が高いならば、図３に示されたようなコンスタレーションを用いることによってピークの伝送電力を最小化させることが好ましい。コンスタレーション間の切り替えは、基地局の判断であり、更に移動局に明確に又は暗黙に信号を伝送しうる。コンスタレーション間の切り替え基準は、例えば最近の既定の期間で伝送されたページング標識の数、アクティブなＭＢＭＳセッションの数又はアクティブなＭＢＭＳユーザの数を含みうる。
【００２９】
図５は、本発明による通信システムのブロック略図である。第１通信装置１００、例えば基地局と、第２及び第３通信装置、それぞれ２００及び３００であり例えば移動局と、がある。第２装置２００はＲｅｌ−９９ ＵＥであり、第３装置３００は本発明によるＵＥである。
【００３０】
第１装置１００は、第１及び第２データを受信する入力１３０を有する。この入力１３０は、コンスタレーション面に配置されたコンスタレーション点のセットにしたがって、第１及び第２データで搬送波信号を変調する変調手段１１０に結合される。該コンスタレーション点は、上記の実施例の何れかにしたがう。変調手段１１０の出力１５０は、アンテナ１４０を介して、変調された搬送波信号を送信する送信手段１２０の入力に結合される。
【００３１】
第２装置２００はアンテナ２４０を有し、このアンテナ２４０は変調された搬送波信号を受信する受信手段２１０の入力に結合される。該受信手段２１０は復調手段２２０の入力２５０に結合され、該復調手段２２０は、第１データのみを引き出すために受信された搬送波信号を復調し、該第１データを出力２３０に届ける。前記復調手段２２０は、受信した搬送波信号の変調が第１データの第１の値に対応するコンスタレーション面の前半にあるか、又は第１データの第２の値に対応するコンスタレーション面の後半にあるか、を判定することにより、第１データを取り出す。図１に記載の一実施例では、コンスタレーション面の前半及び後半は、直線ｙ＝−ｘにより規定される。コンスタレーション面の信号の位置を規定する復調方法は当業者の間ではよく知られている。
【００３２】
第３装置３００はアンテナ３４０を有し、このアンテナ３４０は変調された搬送波信号を受信する受信手段３１０の入力に結合される。該受信手段３１０の出力は復調手段３２０の入力３５０に結合され、この復調手段３２０は、第２データ、状況によっては第１データを取り出すために、受信した搬送波信号を変調し、第２データ、状況によっては第１データを出力３３０に届ける。復調手段３２０は、第１装置１００により採用されたコンスタレーション点に従って、受信された搬送波信号の振幅及び／又は位相を判定することにより第２データを取り出す。
【００３３】
図２のコンスタレーションを用いて、コンスタレーション点Ａ及びＢの第１振幅は、第２データの第１の値に対応し、コンスタレーション点Ｃ及びＤの第２振幅は、第２データの第２の値に対応する。
【００３４】
図３のコンスタレーション点を用いて、コンスタレーション点Ｅ及びＦの位相は、第２データの第１の値に対応し、コンスタレーション点Ｇ及びＨの位相は、第２データの第２の値に対応する。
【００３５】
図４のコンスタレーション点を用いて、復調手段３２０は、第１装置１００により採用されたコンスタレーション点にしたがって、コンスタレーション点Ａ，Ｂ，Ｃ，Ｄ又はコンスタレーション点Ｅ，Ｆ，Ｇ，Ｈから第２データを取り出す。状況によっては、第１装置１００は、復調手段３２０がどのコンスタレーション点を予測するかを先験的に知ることができるように、第３装置３００に標識を送信し、それによって復調の信頼性を改善する。
【００３６】
状況によっては、復調手段３２０は更に、上記第２装置２００のように、受信された搬送波の変調が第１データの第１の値に対応するコンスタレーション面の前半にあるか、又は第１データの第２の値に対応するコンスタレーション面の後半にあるかを判定することによって、第１データを取り出す。
【００３７】
それゆえ本発明にしたがって、第１装置１００は、第１データを第２装置２００に、第２データを第３装置３００に、及び状況によっては第１データを第３装置３００にも、同時に送信することができる。
【００３８】
本発明の更なる一態様では、第１局の変調手段１１０は、上記の図４に示されるようにコンスタレーション面に配置されたコンスタレーション点のセットに従って、第１、第２及び第３データで搬送波信号を変調する。本実施例では、復調手段３２０は、第２データが例えばＭＢＭＳページング標識１であり、第３データが例えばＭＢＭＳページング標識２である場合に、図８に記載のコンスタレーション点から第２及び第３データを取り出す。
【００３９】
本明細書及び請求項において、要素に関して単数の表記は、その要素が複数存在することを排除するわけではない。更に、「有する」という表記は列挙した以外の要素又はステップの存在を排除するものではない。
【００４０】
請求項で、括弧書きの引用符号で含めることは、理解を補助するものとして解釈されるべきであり、限定するものと解釈されてはならない。
【００４１】
本開示を読むことから、当業者には他の変形例が明らかになるだろう。このような変形例は、既知の電子通信技術及び信号設計技術であるという他の特徴及びここにおいて既に記載の特徴の代わりに又は加えて利用されうる他の特徴に関し得る。
【図面の簡単な説明】
【００４２】
【図１】図１は、Ｒｅｌ−９９コンスタレーションを示す。
【図２】図２は、単純なオン／オフ・キーイングがＭＢＭＳ固有のＰＩＣＨに利用される場合のＰＩＣＨコンスタレーションを示す。
【図３】図３は、ＭＢＭＳ固有のＰＩＣＨが専用のＰＩＣＨ（例えばＲｅｌ−９９ ＰＩＣＨ）とともにコード化される場合のＱＰＳＫ ＰＩＣＨを示す。
【図４】図４は、専用のＰＩＣＨを用いてＭＢＭＳ固有のＰＩＣＨを別の態様でコード化するＱＰＳＫコンスタレーションを示す。
【図５】図５は、通信システムのブロック略図である。
【図６】図６は、図２のコンスタレーション点に対する例のデータ値の表である。
【図７】図７は、図３のコンスタレーション点に対する例のデータ値の表である。
【図８】図８は、図４のコンスタレーション点に対する例のデータ値の表である。
【図１】
2007518338.tif 000005
【図２】
2007518338.tif 000006
【図３】
2007518338.tif 000007
【図４】
2007518338.tif 000008
【図５】
2007518338.tif 000009
【図６】
2007518338.tif 000010
【図７】
2007518338.tif 000011
【図８】
2007518338.tif 000012
【国際調査報告】
2007518338.tif 000013
2007518338.tif 000014
2007518338.tif 000015